(57)【要約】【課題】本発明は、ＩＣタグ媒体を元に、ＩＣタグ媒体にデータを書き込み、公然の見られる可能性のあるところに置くなどして公開した際に、書き込んだ側の情報なしでは複数人間で情報授受が出来ず、ＩＣタグだけでは、所有者も判らない課題がある。【解決手段】個人など６が、ＩＣタグ媒体１に書き込みを行い傘などに内蔵させる。前記媒体を、読み取る装置２ａを用いてコンピュータ４に任意情報若しくは個人情報を登録する。その情報をデータ保存装置５に保存する。該傘をなくした後に、該傘を取得した者７が、該ＩＣタグを読み取る装置３にて読み取り、情報がコンピュータ４を経由しデータ保存装置５にその情報の有無を確認し、６が登録した任意情報若しくは個人情報を閲覧する。また、７がメッセージを送ることで、６は該傘の所在が判明する。その際の７の匿名性は個人情報を送信する必要が無く保たれる。【選択図】図１
2005222508.tif 000002
【特許請求の範囲】
【請求項１】
ＩＣタグ媒体と、前記媒体に情報を書き込む装置と、前記媒体を読み取る装置と、前記読み取る装置とネットワーク接続可能なコンピュータと、において、
上記コンピュータは、
前記読み取る装置と前記ネットワークにて接続可能であり、
該読み取る装置から該ＩＣタグ情報を受け取り記憶保存する登録手段と、
該コンピュータに事前に該ＩＣタグ情報が記憶保存されているかを調査する検索      手段と、
該検索結果を該読み取る装置に返答する手段と、
該検索結果に該当する物が無い場合、任意のＩＤを付加させて該ＩＣタグ情報と      該ＩＤとの組合せて記憶保存する登録手段と、
該ＩＤを該読み取る装置に返答する手段と、
該ＩＣタグ情報と該ＩＤとの組合せを承認する手段と、
該承認後に該読み取る装置の使用者が、任意の情報若しくは個人情報を、該ネッ      トワークを介して記入し記憶保存する追加登録手段と、
該追加登録された内容を随時追記若しくは変更する、変更手段と、
公開する項目を選択する手段と、
該追加登録された内容を公開する手段と、
前記検索結果に該当する物がある場合、ＩＤ認証を行う手段と、
該認証を行わない若しくは承認されない場合、新たに任意のＩＤを付加させて該      ＩＣタグ情報と該ＩＤとを組合せて記憶保存する登録手段と、
新たなＩＤでの該認証後に該読み取る装置の使用者が、任意の情報若しくは個人      情報を、該ネットワークを介して記入し記憶保存する追加登録手段と、
該追加登録された内容を随時追記若しくは変更する、変更手段と、
公開する項目を選択する手段と、
該追加登録された内容を公開する手段と、
該ＩＣタグの同一性をもって、該登録情報若しくは該追加登録情報を組合せる手      段と、
該ＩＣタグと該ＩＤの組合せにより、第一の登録者若しくは第二の登録者を判別す    る手段と、
該判別後に、該追加情報の公開内容を区別する手段と、
を、有し、
上記ＩＣタグ媒体は、情報として、前記書き込む装置にてユニークなデータを、独自に  記載したものであり、
上記読み取る装置は、前記ＩＣタグ媒体を読み取り、情報をデータ化することが可能で  あり、
これらを備えることを特徴とする、ＩＣタグを複数人の間に介す、秘匿性若しくは匿名性のある情報閲覧ならびに登録者による制御を行う、個人情報管理システム。
【発明の詳細な説明】
【技術分野】
【０００１】    本発明は、ＩＣタグとその読み取る装置とをネットワークを介し、秘匿性若しくは匿  名性を保ち情報を閲覧若しくは情報交換するためのシステムに関する。
【背景技術】
【０００２】    ＩＣタグとは、電子化情報媒体であり、非接触式、ＲＦＩＤ、ＩＣカード、ミューチ  ップ（Ｒ）、がそれらには含まれる。【０００３】    書き込む装置や読み取る装置は、ＩＣタグリーダとして販売されている。また、将来  の携帯電話では、書き込む装置と、読み取る装置と、が機能として内蔵される可能性が  高い。【０００４】    ネットワーク、インターネットに代表とされる公共性の高いネットワークから一般に  公開されていないローカルなネットワークまで、様々な技術が既に汎用的に利用されて  いる。また、コンピュータは、データ保存装置が付加される形で、サーバコンピュータ  として、汎用的に販売されており、技術的には既知の物として存在している。
【発明の開示】
【発明が解決しようとする課題】
【０００５】    本発明は、ＩＣタグ媒体を元に、データ授受とメッセージ授受を、ＩＣタグ媒体にデ  ータを書き込み、公然の見られる可能性のあるところに置く若しくは送るなどして公開  した際に、書き込んだ側の情報なしでは複数人間で情報授受が出来ず、ＩＣタグだけで  は、所有者も判らない課題がある。それらを双方に補完しあうことで見出し、発明に至  った。それらをシステム化し、個人情報管理可能な情報交換システムを提供することに  ある。
【発明を解決するための手段】
【０００６】  前記の課題を解決するための手段は、次の通りである。
請求項１の発明は、ＩＣタグを用いた、読み取る装置とそれらをネットワークで接続可能なコンピュータシステムにおける、個人情報情報管理可能なシステムある。
詳しくは、
ＩＣタグの媒体と、前記媒体に情報を書き込む装置と、前記媒体を読み取る装置と、前記読み取る装置とネットワーク接続可能なコンピュータと、において、
上記コンピュータは、
前記読み取る装置と前記ネットワークにて接続可能であり、
該読み取る装置から該ＩＣタグ情報を受け取り記憶保存する登録手段と、
該コンピュータに事前に該ＩＣタグ情報が記憶保存されているかを調査する検索      手段と、
該検索結果を該読み取る装置に返答する手段と、
該検索結果に該当する物が無い場合、任意のＩＤを付加させて該ＩＣタグ情報と      該ＩＤとの組合せて記憶保存する登録手段と、
該ＩＤを該読み取る装置に返答する手段と、
該ＩＣタグ情報と該ＩＤとの組合せを承認する手段と、
該承認後に該読み取る装置の使用者が、任意の情報若しくは個人情報を、該ネッ      トワークを介して記入し記憶保存する追加登録手段と、
該追加登録された内容を随時追記若しくは変更する、変更手段と、
公開する項目を選択する手段と、
該追加登録された内容を公開する手段と、
前記検索結果に該当する物がある場合、ＩＤ認証を行う手段と、
該認証を行わない若しくは承認されない場合、新たに任意のＩＤを付加させて該      ＩＣタグ情報と該ＩＤとを組合せて記憶保存する登録手段と、
新たなＩＤでの該認証後に該読み取る装置の使用者が、任意の情報若しくは個人      情報を、該ネットワークを介して記入し記憶保存する追加登録手段と、
該追加登録された内容を随時追記若しくは変更する、変更手段と、
公開する項目を選択する手段と、
該追加登録された内容を公開する手段と、
該ＩＣタグの同一性をもって、該登録情報若しくは該追加登録情報を組合せる手      段と、
該ＩＣタグと該ＩＤの組合せにより、第一の登録者若しくは第二の登録者を判別す    る手段と、
該判別後に、該追加情報の公開内容を区別する手段と、
を、有し、
上記ＩＣタグ媒体は、情報として、前記書き込む装置にてユニークなデータを、独自に  記載したものであり、
上記読み取る装置は、前記ＩＣタグ媒体を読み取り、情報をデータ化することが可能で  あり、
これらを備えることを特徴とする、ＩＣタグを複数人の間に介す、秘匿性若しくは匿名性のある情報閲覧ならびに登録者による制御を行う、個人情報管理システム。
【発明の効果】
【０００７】  本発明は、ＩＣタグを媒体にすることで、個人情報を公開せずに、秘匿性若しくは匿名性のある情報交換が可能となる。複数人の間で、ＩＣタグ媒体を共用し、該媒体を核に情報交換可能となる。
また、携帯電話に書き込み装置と、読み取る装置と、が機能として内蔵される事により、読み取る装置の汎用性を高めることが可能となり、誰でもどこでもＩＣタグを個人自身で登録することが可能となり、データ授受、メッセージ授受が、そのまま可能となる。
【発明を実施するための最良の形態】
【０００８】  図１、図２、図３にて説明する。個人若しくは会社などの組織が、ＩＣタグにデータを書き込み作成する。その時、第一の使用者６が書き込み装置２にて、インターネットの番地を表すＵＲＬと、書き込む装置の個別番号と、一つのＩＣタグ媒体を示す追い番号と、を該ＩＣタグに書き込み、同時に読み取る装置Ａ２ａにて該データを読み取り、該読み取る装置のＩＤを付加し、コンピュータに送信する。コンピュータ４には、データ記憶装置５が付属されており、該データ記憶装置に保存する。保存の際に、コンピュータから個人情報の入力を求め、同時に該個人情報の開示項目を選択する。該ＩＣタグが別の者に渡り、それを見た、第二の使用者７が前記読み取る装置とは別の読み取る装置Ｂ３を用い、該ＩＣタグを読み取り、同時に読み取る装置のＩＤを付加し、コンピュータに送信する。ＩＣタグデータが同一の場合、読み取る装置のＩＤを参照し、別のＩＤの時、前記第一の使用者が設定した個人情報の開示項目に従い、情報を閲覧できる。
ＩＤが同一であった場合は、同一使用者による該個人情報の再設定とみなし、個人情報の入力が再度可能であり、個人情報の開示項目の再設定が可能である。
また、ＩＣタグが、前記コンピュータに登録されていない場合、第二の使用者が個人情報を入力することが可能であり、該個人情報の開示項目の選択が可能となる。その後、該ＩＣタグを作成した者（この場合第一の使用者）が、第二の使用者と別の読み取る装置でＩＣタグを読み取り、コンピュータに送信することで、別ＩＤからコンピュータに登録済みのＩＣタグデータとなり、第二の使用者が選択した個人情報の開示項目を閲覧することが可能である。
さらに、書き込む装置２と読み取る装置Ａ２ａとは、書き込み機能と読み取り機能とが共に内蔵された同一の機器にて行うことも可能である。
ＩＣタグにデータを書き込む際に、書き込む装置の個別番号をする事により、他の書き込む装置にて、データ改ざんを防ぐことが可能である。
【実施例１】
【０００９】  落し物にＩＣタグが内蔵または貼り付けなどにより付加した場合を例にあげ説明する。また、書き込む装置と読み取る装置Ａとは同一の機器とし、携帯電話を用いることとする。前記コンピュータは、図３の様にインターネット等の高度情報網に接続されており、読み取る装置（この場合携帯電話）も該情報網に接続可能である。前記コンピュータにはサーバ機能を有し、前記の様にデータ保存装置を有している。そのサーバ機能とは、図４の機能がある。
傘など落とす可能性のある物に、ＩＣタグを内蔵させておく。書き込む装置にて、インターネットの番地を表すＵＲＬと、書き込む装置（この場合携帯電話）の個別番号と、一つのＩＣタグ媒体を示す追い番号と、を書き込み、それと同時に読み取る装置（この場合携帯電話）でＩＣタグを読み取り、前記高度情報網を介し、コンピュータに送信する。その際に該携帯電話のＩＤを付加し、コンピュータに送信する。送信の際に図５の様にコンピュータからメッセージが伝送され、それに答えることで登録を完了させる。その後、該傘を無くし、他人が拾った際に、読み取る装置（この場合携帯電話とは限らない）にて読み取りを行い、前記高度情報網を介しコンピュータにＩＣタグデータを送信する。その際に、読み取る装置のＩＤを付加させることで、傘のＩＣタグに該データを書き込みその際に読み取り、前記コンピュータに登録した、第一の使用者と区別ができ、第二の使用者となる。ＩＣタグのデータがマッチングし場合、図６の様にコンピュータからメッセージが伝送され、第一の使用者が入力し開示項目に選択した個人情報を閲覧することが出来る。その閲覧を元に、第二の使用者は、第一の使用者に連絡を取ることが可能となる。また、前記コンピュータにて新たなＩＤを発行することが可能で、その場を通じメッセージ交換が可能となり、互いの連絡手段となる。
【図面の簡単な説明】
【００１０】
【図１】  ハードウエア構成
【図２】  コンピュータ処理流れ図
【図３】  ネットワーク図
【図４】  コンピュータ機能イメージ図
【図５】  画面遷移図１
【図６】  画面遷移図２
【符号の説明】
【００１１】１    ＩＣタグ媒体
２    ＩＣタグに書き込む装置
２ａ  ＩＣタグを読み取る装置Ａ
３    ＩＣタグを読み取る装置Ｂ
４    コンピュータ
５    データ保存装置
６    第一の使用者（ＩＣタグ媒体発行者兼書き込む装置及び読み取る装置Ａの使用者）
７    第二の使用者（ＩＣタグ媒体取得者兼読み取る装置Ｂの使用者）
【図１】
2005222508.tif 000003
【図２】
2005222508.tif 000004
【図３】
2005222508.tif 000005
【図４】
2005222508.tif 000006
【図５】
2005222508.tif 000007
【図６】
2005222508.tif 000008